(57)【要約】【課題】チップコイルとしての高さや実装面積を増加させることなく、巻線時に機械的にチャッキングされる鍔部の強度を高め、チャック爪との接触面を大きくして安定したチャッキングを可能にしたチップコイル用コアを得る。【解決手段】ワイヤを巻回するための角柱状巻芯部１１の両端部に角板状鍔部１２，１３を有するフェライトコア１０。鍔部１２の対向する二辺には突出部１４，１４が内側方向に設けられ、該突出部１４の外周面１４ａは鍔部１２の主面１２ａに対して垂直に位置している。この突出部１４，１４はワイヤの巻回時にチャック爪にて鍔部１２を挟持する際のチャック爪との接触部であり、鍔部１２の強度を高めると共に、チャッキング幅を広げる作用を有している。【選択図】　図１
2004087685.tif 000002
【特許請求の範囲】
【請求項１】
ワイヤを巻回するための角柱状巻芯部の両端部に角板状鍔部を有するチップコイル用コアにおいて、
いずれか一方の角板状鍔部の少なくとも一辺に前記ワイヤを巻回する際のチャッキング幅を広げるための突出部を内側方向に設け、
前記突出部はその外周面が角板状鍔部の主面に対して垂直に位置していること、
を特徴とするチップコイル用コア。
【請求項２】
前記突出部の突出量は前記角柱状巻芯部へのワイヤの巻幅の１／２以下であることを特徴とする請求項１記載のチップコイル用コア。
【発明の詳細な説明】
【０００１】
【発明の属する技術分野】
本発明は、チップコイル用コア、特に、高周波に対してチップインダクタ、トランス、チョークコイル等として用いられるチップコイルを構成するコアに関する。
【０００２】
【従来の技術と課題】
従来、チップコイル用のフェライトコアとしては、図４に示すものが用いられている。このフェライトコア１は、角柱状巻芯部２の両端部に角板状の上鍔部３及び下鍔部４を設けたもので、各鍔部３，４は平坦な形状とされている。このようなフェライトコア１において、角柱状巻芯部２にワイヤを巻回する際には上鍔部３の外周面をチャック爪により機械的に挟持している。
【０００３】
ところで、近年、電子部品の小型化に伴ってフェライトコア自体も小型になり、鍔部３，４はその厚みが０．３ｍｍ程度に薄くなっている。チャッキングに使用される鍔部３がこのように薄くなって強度が小さくなると、チャッキング時に欠け、割れ、クラックが生じ、さらにはチャック爪との接触面が小さいためにチャッキングの不安定による巻線不良も発生していた。チャッキング力を弱くしてもチャッキングが不安定になるだけであり、コイルの品質低下を招来する。
【０００４】
このように、角形のフェライトコアを用いたチップコイルにあっては、小型であっても巻線作業のために鍔部の強度を少しでも高くし、形状的にもチャック爪によるチャッキングを安定させて、巻線不良の減少を図ることが何よりも求められている。
【０００５】
鍔部の強度を高めるのに、鍔部全体の厚みあるいは外形を増加させることが考えられるが、電子部品としてのチップコイルの高さや実装面積の増加となり、好ましい対策ではない。また、コアの材料として強度の高いものを選択してもよいが、コイルの特性が変わるために全てのチップコイルに対応できるわけではない。
【０００６】
一方、本願出願人は、図５に示すように（特開平７−３０２７１４号公報参照）、コアの上下の鍔部の周囲に突起６，７を設けたコイルを提案した。このコイルは突起６，７に磁束φを集中させることで漏れ磁束の減少を図ったものである。しかし、このコアはチャック爪で機械的にチャッキングすることは考慮されておらず、突起６，７は磁路を確保するためのものである。即ち、チャッキング幅Ｗは鍔部の厚さと同じであり、チャッキングに対する強度の向上、チャッキング時の安定性に関しては何ら考慮されていない。
【０００７】
そこで、本発明の目的は、チップコイルとしての高さや実装面積を増加させることなく、巻線時に機械的にチャッキングされる鍔部の強度を高め、チャック爪との接触面を大きくして安定したチャッキングを可能にしたチップコイル用コアを提供することにある。
【０００８】
【課題を解決するための手段及び作用】
以上の目的を達成するため、本発明は、ワイヤを巻回するための角柱状巻芯部の両端部に角板状鍔部を有するチップコイル用コアにおいて、いずれか一方の角板状鍔部の少なくとも一辺にワイヤを巻回する際のチャッキング幅を広げるための突出部を内側方向に設け、前記突出部はその外周面が角板状鍔部の主面に対して垂直に位置していることを特徴とする。
【０００９】
以上の構成からなるチップコイル用コアにおいては、突出部を設けたいずれか一方の角板状鍔部の外周面をチャック爪で挟持することによりチャック爪との接触面積が大きくなり、安定したチャッキングが可能となり、かつ、突出部を設けることによって角板状鍔部の強度も高くなる。しかも、突出部は内側方向に設けられるため、チップコイル自体の高さや実装面積を大きくすることがない。
【００１０】
本発明に係るチップコイル用コアにおいて、前記突出部の突出量は前記角柱状巻芯部へのワイヤの巻幅の１／２以下であることが好ましい。突出部によって角柱状巻芯部へのワイヤの巻線作業に影響を与えるが、突出量をワイヤの巻幅の１／２以下に抑えれば、それほどの損失なく巻線を行うことができる。
【００１１】
【発明の実施の形態】
以下、本発明に係るチップコイル用コアの実施形態について、添付図面を参照して説明する。
【００１２】
図１，２は本発明に係るチップコイル用コアの一実施形態を示す。このコア１０は、フェライト粉末を圧縮成形して焼成したもので、角柱状巻芯部１１の両端部に角板状鍔部１２，１３を有している。さらに、角板状鍔部１２の対向する二辺にワイヤ１５を巻回する際のチャッキング幅を広げるための突出部１４，１４が内側方向に設けられている。この突出部１４，１４の外周面１４ａは角板状鍔部１２の主面１２ａに対して垂直に位置している。
【００１３】
具体的な寸法の一例を挙げると、鍔部１２，１３の厚さａは０．３ｍｍ、突出部１４の突出量ｂは０．１５ｍｍ、巻芯部１１の巻幅ｃは０．６ｍｍであり、コア１０の外形寸法ｄ×ｅ×ｆは３×２．８×１．２ｍｍである。突出部１４の突出量ｂは０．１５ｍｍと微量であるが、鍔部１２の厚さａは０．３ｍｍであり、鍔部１２は両端において厚さが５０％増加したことに相当する。
【００１４】
以上の構成からなるチップコイル用コア１０において、角板状鍔部１２の突出部１４を設けた二辺をチャック爪で挟持することによりワイヤ１５の巻線作業（自動巻方式、周知である）を行う。突出部１４を設けることによりチャッキング幅Ｗ（ａ＋ｂ）が大きくなってチャック爪との接触面積が広がり、安定したチャッキングを実現できる。また、突出部１４を設けることによって鍔部１２の強度も高くなる。
【００１５】
自動巻による巻線時に、前記コア１０では鍔部１２に突出部１４が設けられているため、巻線に支障をきたすことが予想される。しかし、種々の検討の結果、突出量ｂが巻芯部１１の巻幅ｃの１／２以下であれば、ワイヤ１５の太さに応じた巻線回転数やテンション等の条件を調整することにより、巻線量の大きな損失なしに巻くことができた。
【００１６】
即ち、図２に示すように、先に巻かれた巻線に沿って後で巻かれていくワイヤが滑り、突出部１４の影になる部分にも巻線され、さらに、巻線の層が重なると影になる空間部分は段落ち部１５ａの形状となり、突出部１４を設けることによる巻線量の損失はそれほど大きくはないことが確かめられた。
【００１７】
ワイヤ１５の巻線断面は、図２に示すとおりであり、巻線初期及び中期の層はワイヤの滑り効果により巻き幅一杯に巻回することができる。巻線終了付近の層は突出部１４の影になることは避けられず、巻幅一杯に巻回することはできない。しかし、突出部１４の影になる部分の巻線が１００％損失することはない。また、巻線時ワイヤ１５にはテンションを掛けているため、段落ちとなったワイヤが浮くこともない。
【００１８】
ところで、突出部１４の形状は、図３（Ａ），（Ｂ），（Ｃ），（Ｄ）に例示するように、種々考えることができる。ここに示した形状は、突出部１４の内側を垂直面や傾斜面あるいは曲面としたものであり、本発明はこれらの形状に限定するものではないが、巻線時におけるワイヤの引っかかりを解消できる形状が好ましい。
【００１９】
また、突出部１４の形状は、コア１０の原料、成形／焼成条件、寸法、ワイヤ１５の太さ、巻線速度、テンション等の諸条件により、最適化を図ることが好ましい。突出部１４の突出量ｂは小さいほど巻線作業が楽になるが、必要とする強度やチャッキングの安定性が低くなるため、両者のバランスを考慮する必要がある。
【００２０】
なお、本発明に係るチップコイル用コアは前記実施形態に限定するものではなく、その要旨の範囲内で種々に変更できることは勿論である。
【００２１】
【発明の効果】
以上の説明で明らかなように、本発明によれば、チップコイル用コアのいずれか一方の角板状鍔部の少なくとも一辺にワイヤを巻回する際のチャッキング幅を広げるための突出部を内側方向に設けたため、鍔部の強度が高くなる。しかも、突出部の外周面が角板状鍔部の主面に対して垂直に位置しているため、チャック爪との接触面積が大きくなり、安定したチャッキングが可能となる。さらに、突出部は内側方向に設けられるため、チップコイル自体の高さや実装面積を大きくすることはない。
【００２２】
また、前記突出部の突出量を巻芯部へのワイヤの巻幅の１／２以下に抑えれば、それほどの損失なく巻線を行うことができる。
【図面の簡単な説明】
【図１】本発明に係るチップコイル用コアの一実施形態を示す斜視図。
【図２】前記チップコイル用コアの巻線部分を示す断面図。
【図３】前記チップコイル用コアの突出部の種々の形状を示す側面図。
【図４】従来のチップコイル用コアの一例を示す斜視図。
【図５】従来のチップコイル用コアの他の例を示す断面図。
【符号の説明】
１０…チップコイル用コア
１１…角柱状巻芯部
１２，１３…角板状鍔部
１２ａ…主面
１４…突出部
１４ａ…外周面
１５…ワイヤ
Ｗ…チャッキング幅
【図１】
2004087685.tif 000003
【図２】
2004087685.tif 000004
【図３】
2004087685.tif 000005
【図４】
2004087685.tif 000006
【図５】
2004087685.tif 000007